(57)【特許請求の範囲】
【請求項１】
一定間隔をおいて側筋と横筋をクロスして構成した水平枠と垂直枠から成る概略逆Ｔ型断面の基礎構築用筋枠を用いた型枠構造において、上記基礎構築用筋枠の水平枠の側筋に止着具を連結して両側に配置し、該止着具は嵌入部を有して該嵌入部にはベース枠板を嵌入して配置し、又立ち上がり枠板を支える為の保持具を設け、該保持具は垂直に起立する２本の支持ボルトと支持板を有し、支持板は中央部に２個のボルト穴を形成すると共にボルト穴のガイド壁にはネジを螺合し、該ボルト穴に支持ボルトを挿通してネジ止めすることで適当な高さに支えられた該支持板の両側には立ち上がり枠板を取り付けし、そして上記保持具は所定の長さの連結部材に一定間隔をおいて取着され、更に少なくとも一箇所の保持具間には振れ止め部材を掛け渡したことを特徴とする基礎コンクリートの型枠構造。
【請求項２】
上記連結部材の両サイドにはアームを両側へ延ばし、アーム先端に形成したボルト穴を支持ボルトに挿通して取り付けした請求項１記載の基礎コンクリートの型枠構造。
【発明の詳細な説明】
【０００１】
【産業上の利用分野】
本発明は住宅等の基礎コンクリートを造成する場合に枠板を配置するだけで簡単に型枠を構成することが出来る技術に関するものである。
【０００２】
【従来の技術】
図６は従来の型枠構造を表している。この型枠構造は所定の間隔をおいてベニヤ板(イ) 、(イ) を並設したものであるが、その為に地面には両端を垂直に起立させた底枠(ロ) を配置し、該ベニヤ板(イ) 、(イ) の下端は底枠(ロ) に止着される。そしてベニヤ板(イ) 、(イ) の上端には上板(ハ) が渡されてクギ打ちされて、両ベニヤ板(イ) 、(イ) は互いに平行を保って垂直に起立している。コンクリートはこの両ベニヤ板(イ) 、(イ) 間の空間に流し込まれる。
【０００３】
流し込んだコンクリートが硬化したところでベニヤ板(イ) 、(イ) を取り外し、造成した基礎コンクリートのベース上に更に別の立ち上がりを造成する訳であるが、上記のベース用型枠と同じようにベニヤ板を並設して立ち上り型枠を作る。ところで、従来の型枠の組み立て作業は非常に面倒であると共に、上記ベニヤ板を枠板として用いることで再利用は可能であるが、コストも高くなっている。それに基礎コンクリートのベースを造成してから、該ベース上に立ち上がりを造成することは、基礎コンクリートの造成を一度に行う場合に比べて、型枠の製作やコンクリートの流し込み作業に要する工数は約２倍になってしまう。
【０００４】
【本発明が解決しようとする課題】
このように、従来の型枠構造には上記のごとき問題がある。本発明が解決しようとする課題はこれら問題点であり、ベースと立ち上がりを同時に造成することが出来る型枠であって、簡単に該型枠の組立が出来る型枠構造を提供する。特に、枠板の取付け作業の省力化を図った構造であって、型枠構造を構成する為の枠板の保持具を提供する。
【０００５】
【課題を解決するための手段】
本発明の型枠構造は基礎コンクリートのベースと立ち上がりを一度に造成することが出来るように構成したものである。そして、該型枠を構成する為に枠板保持具を使用し、この枠板保持具は枠板をセットするだけで所定の型枠が簡単に組み立てられる。この場合、上記保持具には立ち上がり用枠板がセット出来、ベース用枠板は筋枠に連結される止着具に取り付けされる。ところで、この型枠内には基礎コンクリートの骨組みとなる鉄筋が配置されることになるが、該鉄筋は実開平３−２９５３８号に係る「木造住宅基礎構築用筋枠」が使用される。
【０００６】
保持具は立ち上がり用枠板を保持する為の支持板を有し、しかも支持板の高さ調整が出来る構造となっている。そして、この立ち上がり用の保持具は転倒しないようにベースプレートやバー材を下端に取り付けしているが、一個づつの独立体ではなく、複数の保持具が一定間隔にて連結される。
【０００７】
保持具の連結手段としては連結棒（連結バー）等の連結部材が使用されて、上記ベースプレートやバー材に溶接される。更に、本発明では立ち上がり枠板を保持する為の支持板が振れないように、振れ止め部材を両支持具間を連結するように取り付けしている。勿論、振れ止め部材は全ての支持具間に取り付けする必要はなく、適当な一か所に設ければよい。
【０００８】
一方、ベース枠板は基礎構築用筋枠の水平枠側部に止着具を連結し、この止着具に取り付けされる。該止着具は水平枠の側筋に係止する為の係止部を有し、又ベース枠板を取り付けする為の嵌入部を形成している。係止部は側筋が嵌合する凹溝であったり、又は嵌入部から延びたアーム端に設けたりし、更に嵌入部の反対側にはＬ型をした受け部を形成している。受け部には桟がセットされ、嵌入部に嵌入して取着したベース枠板を支持する。勿論ベース枠板が丈夫な場合には桟を必要とせず、その為に受け部は無くてもよい。
【０００９】
ところで、本発明の型枠構造は所定の間隔で複数の保持具を有すフレームを配置し、これら保持具に立ち上がり用枠板をセットして型枠を構成する。そして基礎構築用筋枠の水平枠に連結した止着具にはベース枠板を取り付けし、上記立ち上がり型枠にはコンクリートが流し込まれ、ベース用の枠板間に溜るコンクリートは基礎コンクリートのベースを、一方の立ち上がり枠板間に保持されるコンクリートは基礎コンクリートの立ち上がりを造成し、ベースと立ち上がりをそれぞれ別々に造成することなく一度に作り上げることが出来る。この場合、立ち上がり用枠板の高さは支持板を調整することにより行われる。以下、本発明に係る実施例を図面に基づいて詳細に説明する。
【００１０】
【実施例】
図１は本発明に係る基礎コンクリートの型枠構造を示す実施例である。同図の１は基礎構築用筋枠、２は保持具、３は立ち上がり枠板、４はベース枠板、５は止着具を表しており、立ち上がり枠板３、３は上記保持具２の支持板６に載っている。そして立ち上がり枠板３、３の上端には上板７が取付けられ、ベース枠板４、４は基礎構築用筋枠１の水平枠側筋に連結した止着具５、５に取付けられている。
【００１１】
同図は型枠構造の断面を表している訳であり、立ち上がり枠板３、３及びベース枠板４、４は紙面に対して垂直方向に連続し、該立ち上がり枠板３、３の上部から流し込まれたコンクリートは両立ち上がり枠板３、３とベース枠板４、４間に溜って硬化し、基礎コンクリートを造成する。すなわち、ベースと立ち上がりを別々に造成することなく、同時に行うことが出来る。
【００１２】
図２は上記保持具２を表した具体例であり、同図から明らかなように、複数の保持具２、２…は連結部材８に所定の間隔をおいて取着されている。該保持具２は概略Ｕ型をして形成した両支持ボルト９ａ、９ｂには支持板１０が取付けられ、蝶ネジ１１ａ、１１ｂによって固定されている。従って支持板１０は上記蝶ネジ１１ａ、１１ｂを緩めるならばその高さを自由に変えることが出来る。
【００１３】
そして、連結部材８の所々には脚１２、１２…が固定され、支持具２、２…が安定して起立することが出来るようになっている。脚１２は連結部材８の両側へ延び、先端部にて屈曲した形状を成している。勿論、該脚１２の形状は特に限定はしない。又、両支持具２、２間には振れ止め部材１３を設けていて、支持具２、２の安定性を図っている。この振れ止め部材１３は図３に示すように、両サイドにはアーム１４ａ、１４ｂを両側へ延ばし、該アーム１４の両端にはボルト穴１５、１５…が形成されている。
【００１４】
この連結部材８は図２に示すようにボルト穴１５、１５…に支持ボルト９ａ、９ｂが挿通した状態で取付けられ、落下しないように該支持ボルト９ａ、９ｂに螺合したナット１９ａ、１９ｂにて支えられている。該連結部材８に取着している支持具２、２…の個数は任意であるが、該振れ止め部材１３は全ての支持具２、２…間に掛け渡しして設ける必要はなく、時には該振れ止め部材１３を用いない場合もある。
【００１５】
図４は支持板６を示す具体例であり、平板を打ち抜き成形した形状を成しており、中央には所定の間隔をおいて２個のボルト穴２０ａ、２０ｂが設けられている。このボルト穴２０ａ、２０ｂには前記支持ボルト９ａ、９ｂが挿通して該支持板６を支えることになるが、ボルト穴２０ａ、２０ｂを形成するガイド壁２１ａ、２１ｂには蝶ネジ１１ａ、１１ｂが螺合して先端はボルト穴２０ａ、２０ｂに入り込んで、支持ボルト９ａ、９ｂを押圧して固定される。
【００１６】
そして、両サイド部には切り欠き２２ａ、２２ｂが形成され、切り欠き２２ａ、２２ｂの外側には止着片２３ａ、２３ｂを有している。この切り欠き２２ａ、２２ｂには立ち上がり枠板３、３が嵌り、止着片２３ａ、２３ｂに設けているネジ穴に通したネジによって該立ち上がり枠板３、３が止着される。ところで、立ち上がり枠板３、３が載せられる前に、支持板６の高さが調整されることになるが、保持具２から起立する支持ボルト９ａ、９ｂをボルト穴２０ａ、２０ｂに挿通したところで片方の蝶ネジ１１ａを締め付けする。支持板６は片方の蝶ネジ１１ａにて支えられ、後で他方の蝶ネジ１１ｂを締め付けして固定する。
【００１７】
図５は支持板６を示す他の具体例である。前記図４の支持板６はベニヤ板を立ち上がり枠板として用いた場合であるが、図５の支持板６は同図に一点鎖線で示しているように、リブで枠組した鉄板が載せられる。支持板６の両サイドにはＬ型をした係止片２４ａ、２４ｂが形成されていて、立ち上がり枠板３が型枠に流し込まれたコンクリートによって押し上げられた場合には、リブ２５は係止片２４に係止して外れを防止する。
【００１８】
一方のベース枠板４を取り付けする止着具５は基礎構築用筋枠１に連結して配置されることになる。すなわち、基礎構築用筋枠１の水平枠側筋１６は地面より僅かに高い位置にあって、該側筋１６は係止溝１７に嵌って止着具５は連結される。止着具５にはベース枠板４を取り付けする溝が形成され、同時に桟１８が取着されて該ベース枠板４を支える。以上述べたように、本発明の型枠構造は立ち上がり枠板を支持する支持具を連結部材に複数固定し、少なくとも一か所には両支持具を連結する振れ止め部材を取り付けしたものであり、次のような効果を得ることが出来る。
【００１９】
【発明の効果】
本発明の型枠構造は枠板保持具を使用する為に、枠板のセットがいたって簡単で、型枠の据付けを短時間に行うことが出来る。それに該枠板保持具は複数脚が一定間隔をおいて連結部材に取着されている為に地面に配置する作業も簡単であるとともに、支持具の位置決めをする必要はなく、正確に配置することが出来る。そして支持具の支持ボルトには支持板が取り付けされることになるが、該支持板に形成したボルト穴には支持ボルトが通されて蝶ネジにて締め付けするだけでレベル出しがなされて簡単に固定される。
【００２０】
そして基礎コンクリートのベースと立ち上がりを同時に造成することが出来、従来の作業に比べて大幅な省力化が図られる。又、この枠板保持具は立ち上がり用枠板を保持する保持板の高さが自由に調整可能である為に、ベースの高さに応じて立ち上がり枠板を配置することが出来る。さらに、連結部材に取り付けされる支持具には必要に応じて振れ止め部材を設ける為に、支持具並びに立ち上がり枠板は振れることなく位置決めは正確になされる。一方、支持板には止着片や係止片が両サイドに設けられていて、型枠に流し込まれたコンクリートによる浮力で立ち上がり枠板が浮き上がって外れることがないようにしている。
【図面の簡単な説明】
【図１】本発明の型枠を構成する実施例。
【図２】立ち上がり枠板保持具の具体例。
【図３】両保持具を連結する振れ止め部材。
【図４】支持板を示す具体例。
【図５】支持板を示す他の具体例。
【図６】従来の型枠構造。
【符号の説明】
１  基礎構築用筋枠
２  保持具
３  立ち上がり枠板
４  ベース枠板
５  止着具
６  支持板
７  上板
８  連結部材
９  支持ボルト
10  支持板
12  脚
13  振れ止め部材
14  アーム
15  ボルト穴
16  側筋
17  係止溝
18  桟
19  ナット
20  ボルト穴
21  ガイド壁
22  切り欠き
23  止着片
24  係止片
25  リブ
【図１】
0003769643.tif 000002
【図２】
0003769643.tif 000003
【図３】
0003769643.tif 000004
【図４】
0003769643.tif 000005
【図５】
0003769643.tif 000006
【図６】
0003769643.tif 000007